(57)【要約】  既存のプレートまたは桁と離隔して、特に橋の構造体の下面上に補強板を固定して、閉鎖された空洞部を形成すること、および液状のプラスチックまたは高分子材料を前記空洞部内に注入することであって、それにより前記プラスチックまたは高分子材料を固化または硬化して、十分な強度で前記補強板と既存のプレートを接合してその間にせん断力を伝達することを含む、橋の補修、補強または修復方法。【選択図】図６
2008520867.tif 000002
【特許請求の範囲】
【請求項１】
橋の補修、補強または修復方法であって、
橋の構造体の既存のプレートまたは桁と離隔して補強板を固定して閉鎖された空洞部を形成すること、および
液状のプラスチックまたは高分子材料を前記空洞部内に注入することであって、それにより前記プラスチックまたは高分子材料を固化または硬化して、十分な強度で前記補強板と前記既存のプレートを接合してその間にせん断力を伝達すること、
を含む方法。
【請求項２】
前記既存のプレートまたは桁が、前記橋の下面の上にある、
請求項１に記載の方法。
【請求項３】
前記橋は、複数のトラフ状の補強材を有し、
前記補強板は、前記トラフ状の補強材の底部間にわたって延在し、かつ
軽量の成形体が、コア材料の注入前に前記トラフ間の空間に提供される、
請求項２に記載の方法。
【請求項４】
前記軽量の成形体は、前記コア材料よりも密度が低い、
請求項３に記載の方法。
【請求項５】
前記軽量の成形体は、細長の中空体である、
請求項３または４に記載の方法。
【請求項６】
前記軽量の成形体は、エンドキャップで閉鎖される、入れ子式の中空角柱で作製されている、
請求項５に記載の方法。
【請求項７】
前記角柱は、前記補強トラフ間の前記空間に適合するように構成された台形の断面を有する、
請求項６に記載の方法。
【請求項８】
前記橋は、桁間にわたって延在する複数のプレートを有し、および
前記補強板を固定するステップは、第１の桁に第１の補強板を、かつ前記第１の桁に隣接する第２の桁に第２の補強板を固定し、
前記第１および第２の補強板は、前記桁間の距離にわたって延在するように協働している、
ことを含む請求項２に記載の方法。
【請求項９】
前記第１および第２の補強板は、重ね継ぎにおいて重なり合っている、
請求項８に記載の方法。
【請求項１０】
前記第１および第２の補強板は、前記既存のプレートの曲率に適合するように湾曲している、
請求項８または９に記載の方法。
【請求項１１】
前記既存のプレートは、箱のウェブまたはプレート桁である、
請求項１に記載の方法。
【請求項１２】
前記補強板は、金属、例えば鋼、ステンレス鋼またはアルミニウムである、
請求項１〜１１のいずれか一項に記載の方法。
【請求項１３】
前記補強板の厚みが、０．５〜２０ｍｍの範囲にある、
請求項１〜１２のいずれか一項に記載の方法。
【請求項１４】
前記プラスチックまたは高分子コアが、ポリウレタン等のエラストマーである、
請求項１〜１３のいずれか一項に記載の方法。
【請求項１５】
前記エラストマーが緊密である、
請求項１４に記載の方法。
【請求項１６】
既存の構造体を備える橋であって、
前記既存の構造体に隣接して補強板が提供され、
前記補強板は、プラスチックまたは高分子材料の中間層によって前記既存の構造体に接合され、
前記中間層は、前記補強板と既存の構造体を十分な強度で接合して、その間にせん断力を伝達させる、
橋。
【発明の詳細な説明】
【技術分野】
【０００１】
本発明は、特に、全鋼の直交異方性橋（ａｌｌ−ｓｔｅｅｌ  ｏｒｔｈｏｔｒｏｐｉｃ  ｂｒｉｄｇｅ）、全鋼の鉄道橋および複合コンクリート床版のある鋼桁橋等の橋の補修・補強に関する。
【背景技術】
【０００２】
２枚の金属製外板と、十分な強度で外板に接合され、サンドイッチ板部材の構造強度に実質的に寄与するプラスチックまたは高分子材料、例えば非発泡ポリウレタンのコアとを備える構造的なサンドイッチ板部材が、米国特許第５，７７８，８１３号明細書および米国特許第６，０５０，２０８号明細書において説明されている。これらの文献は参照として本書に援用される。これらのサンドイッチ板システム（ＳＰＳ）は、多くの建造物形態において補強鋼板、成形鋼板、鉄筋コンクリートまたは鋼コンクリート合成構造体に置き換わるために使用されてもよく、得られる構造体を非常に単純化し、強度と構造性能（例えば剛性、減衰特性）を向上させる一方で軽量となる。これらの構造的なサンドイッチ板部材の発展形態はさらに、国際公開第０１／３２４１４号パンフレットにおいて説明されており、これも参照として本書に援用される。該文献で説明されているように、発泡成形体またはインサートをコア層に組み込んで重量を削減してもよく、剛性を向上するために横方向に金属製のシアープレートを加えてもよい。
【０００３】
国際公開第０１／３２４１４号パンフレットの教示によれば、発泡成形体は、中空または中実のどちらであってもよい。中空成形体は、非常に重量を削減することができるので、有利である。該文献で説明されている成形体は、軽量の発泡材料から作製されたものに限定されず、木材または鋼箱、可塑性の押出形材および可塑性の中空球等の他の材料からも作製できる。
【０００４】
新築の構造体に適用されるだけでなく、ＳＰＳ建設の原理は、海洋構造物、特に貨物フェリーの車両用床版の補修に適用されている。オーバーレイとして知られているこの手法は、国際公開第０２／２０３４１号パンフレットにおいて説明されており、この文献は全体が参照として本書に援用される。簡潔に言えば、既存の金属パネルが洗浄されて、例えばグリットブラストによって前処理されてから、既存の金属パネルの上に補強板を溶接するので空洞部が形成される。空洞部は次に、ポリウレタン等の液体の熱硬化性ポリマーで充填され、それが十分な強度で補強板を既存のパネルにセットして接合して、既存のパネルと補強板との間にせん断力を伝達する。この補修方法は、従来の切断して交換する補修よりもはるかに短い時間で行うことができ、船を動かせない期間を減少し、かつ構造上および磨耗特性が向上した床版を提供できる。
【０００５】
国際公開第０２／２９１６０号パンフレットにおいて説明されているようにＳＰＳパネルを使用して、Ｄ型橋、ベイリー橋（Ｂａｉｌｅｙ  ｂｒｉｄｇｅ）および桁橋の床版を形成することも提案されている。
【０００６】
多くの道路橋および鉄道橋が、鋼構造か複合構造（鋼とコンクリート）で出来ている。典型的な複合道路橋の横断面図を添付の図１に示してある。図に示すように、コンクリート床版１０が長手方向の鋼桁１１に支持されている。桁の大きさ、間隔および数は、橋の大きさ、支持されるべき荷重および設計者の選択による。コンクリート床版の劣化に関連する従来の補修方法は、再舗装から完全に床版を置き換えることまで様々である。床版の置き換えには、古いコンクリート床版を取り除いて、一般的にいくつかの桁にわたって延在するプレキャスト・プレストレストコンクリート厚板で置き換えられることが必要である。厚板には、連続的な鉄筋、シヤーコネクター、ガードレール、遮断機装置および胴付き継ぎのための箱抜き部がある。これらの厚板の設置に続いて、厚板をポストテンションしてグラウトで固めて、既存の桁と連続的になるように複合させる。野外でグラウトで固められた接合部の耐久性には、疑問の余地がある。
【０００７】
添付の図２に全鋼の直交異方性橋を示している。この橋においては、例えばアスファルト道路を支持し得る鋼床版２０が、同じく鋼性の多くの長手方向のトラフによって補強されている。鋼箱桁２２は橋脚間にわたって延在し、横梁と直交異方性の床版を支持する。このタイプの橋は、疲労しやすく、トラフ補強材が床版プレートに結合する床版プレートの溶接部でまたは溶接部付近で、あるいはウェブまたはトラフ補強材がウェブを貫通する横梁／ダイアフラムにおいて亀裂を生じる。従来の補修方法では、疲労亀裂を確認し、裏はつりし、かつ亀裂を（再）溶接する必要がある。追加の局所的な補強材を施すか、または幾何学的形状や溶接群を修正して、局所的に応力範囲を減少し、これらの亀裂の再発生の可能性を減少する。
【０００８】
添付の図３に示した高架の鋼製鉄道橋においては、鋼製パネル３０を使用して、バラスト３１を保持し、バラストはまくら木（鉄道のつなぎ材）とレール３２を支持している。鋼床版プレートは、二重曲率で予備成形され、横梁３３にリベット締めされている。繰り返しの動荷重によって、プレート全体をわたって、横梁のフランジの先端を越えて突出する片持ち部分内に疲労亀裂が生じる。古い構造体では、溶接可能でない鋼種かもしれず、その場合、公知の補修方法では、予備成形された鋼床版と横梁を新しい鋼構造で置換するにすぎない。
【０００９】
上述のタイプの橋を修復するために補修する方法は、交通の流れを中断させ、地域経済に悪影響を与える。その結果、補修期間は最小限にされ、しばしば制限された夜間やオフピークに通行止めにして行われる。しかしながら、時として完全な通行止めが必要になるかもしれない。迂回交通もコストを増大させる。
【発明の開示】
【発明が解決しようとする課題】
【００１０】
本発明の目的は、例えば耐荷力を増大するか、あるいは構造性能、特にせん断抵抗を増強し、かつ構造上生じる騒音を削減するように、橋を補修、修復または改善する方法を提供することである。
【課題を解決するための手段】
【００１１】
本発明の第１の態様によれば、後でパネル間をボルト締めしかつ溶接することによって鋼桁と複合されるプレハブ式ＳＰＳ床版パネルに既存のコンクリート床版を取り替えることによって、あるいは完全に一体化された桁を有するＳＰＳパネルに上部構造を取り替えることによって、既存のコンクリート床版複合鋼桁橋を修復できる。どちらの場合もプレハブ式ＳＰＳ床版パネルの使用によって床版の置き換えが単純化し、工期が短くなり、制限された通行止めに対応できる。プレハブ式ＳＰＳ床版パネルはさらに、工場の品質管理および汎用的で広く使用されている現場製作の量を限られたものにするという利点をもたらすので、鋼製の上部構造と同様の耐用年数を有する床版構造体をもたらす。
【００１２】
さらに本発明の第１の態様は、元の対応する鉄筋コンクリート床版と強度および剛性が同等かそれよりも優れている床版を提供する一方で、重量は元の床版の７５％未満までとすることができる。この規模の床版重量の削減によって、下部構造を補強するかまたはさらに桁を追加する必要なく、耐荷力を増大させるか、あるいは車線数を増加させることができる。
【００１３】
本発明の第２の態様によれば、既存の橋の補修、補強または構造性能の増強方法であって、橋の構造体の既存のプレートまたは桁と離隔して補強板を固定して閉鎖された空洞部を形成すること、および液状のプラスチックまたは高分子材料を前記空洞部内に注入することであって、それにより前記プラスチックまたは高分子材料を固化または硬化して、十分な強度で前記補強板と既存プレートを接合してその間にせん断力を伝達することを含む方法が提供される。
【００１４】
橋の構造体の下面に補強板を固定することによって、荷重支持床版に対する破壊が最小限となり、かつ多くの場合補修工程の間中、交通が流れ続けていてもよい。補修の完了により、剛性が向上し、振動減衰性の改良された構造的なサンドイッチ板がもたらされる。横方向剛性が向上することによって、横荷重において、隣接するトラフ補強材間の集中した輪荷重を分散させるのを助長し、かつトラフ補強材が床版プレートに結合してトラフがダイアフラムまたは横梁のどちらかを貫通する重要な溶接群において応力範囲を有利に減少させ、実質的に耐疲労性および耐用年数を増加させる。
【００１５】
補強板または本発明の材料、寸法および一般的性質は、本発明が応用される特定の橋に所望されるように選択されてよく、かつ一般的に、米国特許第５，７７８，８１３号明細書および米国特許第６，０５０，２０８号明細書において説明されているようにしてもよい。一般に、厚さが０．５〜２０ｍｍの鋼またはステンレス鋼が使用され、軽量であることが望ましい場合にはアルミニウムが使用されてもよい。同様に、プラスチックまたは高分子コアは、米国特許第５，７７８，８１３号明細書および米国特許第６，０５０，２０８号明細書において説明されているように、例えば緊密（ｃｏｍｐａｃｔ）なエラストマー、ポリウレタン等の適切ないかなる材料でもよい。
【００１６】
複数のトラフ状の補強材を有する橋の下面に補修が応用される本発明の第２の態様においては、補強板は、トラフ状の補強材の底面間にわたって延在し、かつ軽量の成形体が、コア材料の注入前にトラフ間の空間に提供される。軽量の成形体またはインサートは、コア材料よりも密度が低くあるべきであり、かつコア材料の注入および固化において経験する温度と圧力には十分に耐えるべきであるが、その他の点では、その機械的性質は補修された構造体の強度には大きく寄与しないため特に重要ではない。軽量の成形体はトラフ間の空間を完全に充填するべきではなく、全体的にコア材料の層が入れるようにするべきである。
【００１７】
軽量の成形体が細長の中空体であると都合が良い。ある特定の実施形態においては、軽量の成形体は、エンドキャップで閉鎖される、入れ子式の中空角柱で作製されている。角柱は、補強トラフ間の空間に適合するように構成された台形の断面を有する。
【００１８】
本発明の第２の態様においては、補修は、代わりに床版表面に施されてもよい。この場合、耐熱性の接着剤を使用して、ＳＰＳオーバーレイ空洞部の周辺のバー（ｐｅｒｉｍｅｔｅｒ  ｂａｒ）を既存の構造体に固定するのが有利であろう。続いて新しい床版フェースプレートを互いにおよび周辺のバーに溶接することは、下側表面上の塗装や耐食コーティングに損傷を与えない。
【００１９】
本発明を、例示的な実施形態および添付の概略的な図面を参照することにより、下記で説明する。
【発明を実施するための最良の形態】
【００２０】
各図において、同様の部品には同様の参照番号を付す。
【００２１】
本発明の第１の実施形態によれば、既存のコンクリート床版複合鋼桁が、図４に示されるように、既存のコンクリート床版をプレハブ式ＳＰＳ床版パネル１０１で置き換えることによって、修復される。ＳＰＳ床版パネルは次に、パネル１０１間をボルト締めして溶接することにより既存の鋼桁１０２と複合される。置き換えＳＰＳパネル１０１は、当接端部において一緒に溶接することによって連続したものにされる。既存の、または新しい鋼製のガードレール１０３が、ＳＰＳ床版パネルにボルト締めされてもよい。
【００２２】
ＳＰＳパネル１０１はそれぞれ、プラスチックまたは高分子材料の中間層、すなわちコア層１０５によって一緒に接合されている金属製の外側フェースプレート１０４、１０６を含む。フェースプレートは、特定の用途に必要とされるような、厚さ２〜２０ｍｍの範囲の鋼板であってもよい。プラスチックまたは高分子材料には、好ましくは緊密な（すなわち発泡でない）熱硬化性材料、例えばポリウレタンエラストマー等が使用される。コア層１０５は、１５〜２００ｍｍの範囲の厚みを有し、十分な強度でフェースプレート１０４、１０６に接合され、使用中に補強材と既存の構造体との間に予想されるせん断力を伝達する十分な機械的性質を有する。接着強度は、３ＭＰａ超、好ましくは６ＭＰａであるべきであり、コア材料の弾性率は、２００ＭＰａ超、好ましくは２５０ＭＰａ超であるべきである（特に使用中に高温に暴露されることが予期される場合）。コア層があるおかげで、補強された構造体には、実質的により大きなプレート厚と、有意な追加の補強材料とを有する補強鋼板の強度と耐荷力がある。当然、置き換えパネル１０１は、平坦である必要はないが、いかなる形状であれ既存の構造体に適合することが要求される。
【００２３】
プレハブ式ＳＰＳ床版パネルの使用によって、床版の置き換えが単純化され、それにより工期が短くなり、制限された通行止めに対応できる。プレハブ式ＳＰＳ床版パネルはさらに、工場の品質管理および汎用的で広く使用されている現場製作の量を限られたものにするという利点をもたらすので、鋼製の上部構造と同様の耐用年数有する床版構造体をもたらす。
【００２４】
本発明の第２の実施形態においては、図５に示すように、上部構造は完全に、一体化された桁２０２を有するＳＰＳパネル２０１と置き換えられる。ＳＰＳパネル２０１は、本質的には第１の実施形態のパネル１０１と同じであるが、長手方向および／または横方向の桁２０２が工場での製作中にパネルに一体化される。桁のウェブが、コア材料が注入される空洞部の側壁の部分を形成してもよい一方で、フェースプレートの一方または両方が梁のフランジの機能を果たしてもよい。第１の実施形態にあるように、プレハブ式ＳＰＳ床版パネルの使用により、床版の置き換えが単純化され、工場の品質管理と現場製作の量を限られたものとするという利点がもたらされる。
【００２５】
さらに、本発明の第１および第２の実施形態により、元の対応する鉄筋コンクリート床版と強度および剛性が同等か優れている床版を提供する一方で、重量は元の床版の７５％未満までとすることができる。この規模の床版重量の削減によって、下部構造を補強するかまたはさらに桁を追加する必要なく、耐荷力を増大させるか、あるいは車線数を増加させることができる。
【００２６】
本発明の第３の実施形態においては、図６に示すように、荷重支持床版２０と、補強トラフ２１とを備える橋の既存の構造体が、補強トラフ２１の底部間にわたって延在する補強板３３１を追加することによって補修または補強される。補強板３３１は、特定の用途に必要とされるような、厚さが２〜２０ｍｍの範囲の鋼板であってもよい。補強板３３１を既存の構造体に接合するために、プラスチックまたは高分子材料のコア層３３２には、好ましくはポリウレタンエラストマー等の緊密な熱硬化性材料が使用される。このコアの厚みは１５〜２００ｍｍの範囲でよい。コア３３２を、補強板３３１および既存の構造体２０、２１に十分な強度で接合し、かつコア３３２は、使用中に補強材と既存の構造体との間に予想されるせん断力を伝達する十分な機械的性質を有する。接着強度は３ＭＰａ超、好ましくは６ＭＰａであるべきであり、コア材料の弾性率は２００ＭＰａ超、好ましくは２５０ＭＰａ超であるべきである（特に特に使用中に高温に暴露されることが予期される場合）。コア層があるおかげで、補強された構造体には、実質的により大きなプレート厚と、有意な追加の補強材料とを有する補強鋼板の強度と耐荷力がある。当然、補強板は、平坦である必要はないが、いかなる形状であれ既存の構造体に適合することが要求される。
【００２７】
補強材を既存の構造体に接合する必要があるコア材料の体積を減少させるために、補強トラフ２１間の空間に軽量の成形体またはインサート３３３が提供される。成形体３３３の断面形状は、好ましくはトラフ間の空間の断面形状に適合するが、全体的に、厚さ１５〜２００ｍｍの範囲のコア材料の層を残すような大きさにされる。成形体は、好ましくは適切な断面の細長い中空体であるが、発泡体等の軽量な材料で作製してもよい。各インサートは、各橋のための特別な成形体を製造する必要をなくすために、標準的な断面の複数の細長い部分で作製されてもよい。
【００２８】
補修された橋の拡大図である図７に、より明瞭に示すように、各成形体３３３は、好ましくはスリーブ３３５にはめ込まれる２つの部品３３４で作製されているので、成形体の長さは、スリーブ３３５から、またはスリーブへ部品３３４を摺動させることによって調節できる。成形体の２つの端部をエンドキャップ３３６が閉鎖する。この構造体は、補強トラフの外形と空間が一定である橋には適しているが、横方向の桁間の空間は異なるかもしれない。
【００２９】
特に中空の場合、成形体は、橋の下面に取り付けられるかもしれない、例えば送水管またはガス管、電力ケーブルまたは通信ケーブルといったいかなるユーティリティにも適合するであろう。中空成形体は、横方向の桁において適切なアクセスポイントおよびスルーホールが設けられている場合には、ユーティリティを後で追加するための収納部としての機能も果たすことができる。
【００３０】
補修するためには、まず全トラフ２１の底面と床版２０の露出プレートをグリットブラストして、コア材料が付着できる清浄な表面を生成する。次に成形体３３３は、例えばタック溶接および必要であれば適切なスペーサを使用することによって適所に固定される。これが完了したら、ランディングバー（ｌａｎｄｉｎｇ  ｂａｒ）が、補強板の端部の位置において適所に溶接されるので、補強板を適所に溶接できる。補強板と既存の構造体によって規定される空洞が、注入口と必要であれば通風口を残して封止される。次にコア材料が注入されて、補強板と既存の構造体とを強力に接合するために硬化される。仕上げに、注入口と通風口を封止し、例えば塗装等のあらゆる所望の表面加工を施す前に、腐食を予防のためと審美的観点から、平らになるように研削することができる。
【００３１】
同じ橋が、本発明の第４の実施形態を示す図８に示すように、オーバーレイを上面に追加することによって補修されてもよい。この実施形態においては、補強板４０１は、既存のプレート２０の上に固定されて空洞部を形成する。次に空洞部は、プラスチックまたは高分子材料４０２を注入することにより充填されて、それにより固化時に、補強板４０１を既存のプレート２０に十分な強度で接合して、使用中に予期されるせん断力を伝達する。この点において、第４の実施形態は、本発明の他の実施形態と同じであり、補強板とコア材料は、上述した通りでもよい。アスファルト道路の表面４０３は、コア層が完全に硬化した時点で補強板の上にある。
【００３２】
コアを注入する前に補強板４０１を適所に固定するために、溶接されたかまたは付着された周辺のバーを使用して充填するべき空洞部を規定してもよい。本発明の他の実施形態にあるように、スペーサと軽量の成形体またはインサートを使用してもよい。
【００３３】
本発明の第５の実施形態においては、耐疲労性を増大して構造体の耐用年数を延ばすために、高架鉄道橋の予備成形鋼板の下面に補修が施される。図９に示される補修は、既存の構造体と形状と構造が一貫しており、その歴史的の性質の魅力を損なわれない。
【００３４】
鉄道サービス中断させずに下側から、既存の構造体に形状が適合する２つの予備成形されたプレート５０１、５０２が、既存の構造体の横梁のウェブにボルト締めされ、片側リベットを使用して互いにリベット締めして、図１０に示されるように橋にわたって延在するパネル長の中間において重ね継ぎ５０３を形成する。重ね継ぎは、橋の長さに沿って各パネルに発生するであろう寸法のばらつきを許容するであろう単純接続の細部をもたらす。次に図１１に示すように、排水管５０４を再構築する。
【００３５】
可撓性の、独立気泡様の材料とコーキングの組み合わせを使用して、空洞部の端部を封止する。次に空洞部は、コア材料５０５で確実に完全充填するために、始めは中央部、次にどちらかの端部が下側から注入される。この補修方法は、既存の予備成形された鋼製パネルにおける（横梁のフランジの先端を横切る片持ち板部分の先端において、または先端付近において）応力範囲を減少させて、耐疲労性を増大させるだけでなく、構造上生じる騒音を吸収するための粘弾性層も提供し、このような高架の鉄道システムが存在する都心部に付加利益をもたらす。
【００３６】
本発明の第６の実施形態は、図１３および１４に示すように、ＳＰＳオーバーレイ６０１を箱のウェブ６０２とプレート桁６０３、６０４に応用する既存の構造体の修正例である。この主要な目的は、橋が支持する交通（道路や鉄道）に起因する振動に関連して、構造上生じる騒音を削減することである。副産物は、構造的な増強、補強材をウェブに結合する溶接群のせん断抵抗と耐疲労性の増大である。
【００３７】
第５および第６の実施形態においては、補強板とコア層の材料および寸法は先に説明した実施形態と同じでもよい。
【００３８】
上述の説明は限定を意図するものではなく、他の修正例および変形例は、添付の特許請求の範囲に規定される本発明の範囲にあることを理解されたい。
【図面の簡単な説明】
【００３９】
【図１】典型的なコンクリート床版複合鋼桁橋の断面図である。
【図２】箱桁を有する典型的な鋼床版橋の等方性図である。
【図３】予備成形された鋼製パネルを有する鉄道橋の等方性図である。
【図４】本発明の第１の実施形態による複合鋼桁橋の床版の断面図である。
【図５】本発明の第２の実施形態による複合鋼桁橋の床版の等方性図である。
【図６】本発明の第３の実施形態による方法が下面から床版構造体の修復および補強に適用された、図２に示される橋の等方性図である。
【図７】図６の補修された橋の拡大図である。
【図８】本発明の第４の実施形態による方法が上側から適用される、図２に示される橋等方性図である。
【図９】本発明の第５の実施形態による方法が適用される、図３に示される鉄道橋の等方性図である。
【図１０】図９の補修された橋の長手方向断面図である。
【図１１】図９の補修された橋の排水管の詳細を示す断面図である。
【図１２】図９の補修された橋のパネルの拡大図である。
【図１３】本発明の第６の実施形態に従って構造的に増強されたウェブを有する、典型的な箱桁橋（明瞭にするために床版なし）の等方性図である。
【図１４】本発明の第６の実施形態に従って構造的に増強されたウェブを有する補強板桁の等方性図である。
【図１】
2008520867.tif 000003
【図２】
2008520867.tif 000004
【図３】
2008520867.tif 000005
【図４】
2008520867.tif 000006
【図５】
2008520867.tif 000007
【図６】
2008520867.tif 000008
【図７】
2008520867.tif 000009
【図８】
2008520867.tif 000010
【図９】
2008520867.tif 000011
【図１０】
2008520867.tif 000012
【図１１】
2008520867.tif 000013
【図１２】
2008520867.tif 000014
【図１３】
2008520867.tif 000015
【図１４】
2008520867.tif 000016
【国際調査報告】
2008520867.tif 000017
2008520867.tif 000018